(57)【要約】【課題】手持ち投影の利便性を損なうことなく、長時間の投影でも投影者に苦痛を与えることのないプロジェクタシステム及びプロジェクタ装置を提供すること。【解決手段】プロジェクタ装置１００が支持装置３００に装着されたことが装着検知部１０９を介して検知された場合に、制御部１１１は、第１のスイッチ検知部１２５を介して入力される操作信号ではなく、リモコン信号送信機４００から入力されてくるリモコン操作信号に応じて画像投影制御を実行する。【選択図】      図７
2006091366.tif 000002
【特許請求の範囲】
【請求項１】
画像を投影可能なプロジェクタ装置と、該プロジェクタ装置を装着するための装着部を有する支持装置とを有するプロジェクタシステムにおいて、
上記プロジェクタ装置に設けられ、第１の操作信号を出力する第１の操作手段と、
上記支持装置に設けられ、第２の操作信号を出力する第２の操作手段と、
上記プロジェクタ装置に設けられ、上記プロジェクタ装置が上記装着部を介して上記支持装置に装着されていない場合には上記第１の操作信号に応じて画像を投影し、上記プロジェクタ装置が上記装着部を介して上記支持装置に装着されている場合には上記第２の操作信号に応じて画像を投影する投影手段と、
を有することを特徴とするプロジェクタシステム。
【請求項２】
上記第２の操作手段は、上記支持装置外部のリモートコントロール信号送信機からのリモートコントロール信号に応じて上記第２の操作信号を上記投影手段に出力することを特徴とする請求項１に記載のプロジェクタシステム。
【請求項３】
上記プロジェクタ装置は、該プロジェクタ装置が上記支持装置に装着されたことを検知する装着検知手段を更に具備し、
上記投影手段は、上記装着検知手段の検知結果に応じて、上記第１の操作信号と上記第２の操作信号の何れに応答して画像を投影するのかを決定することを特徴とする請求項１に記載のプロジェクタシステム。
【請求項４】
手で保持した状態で画像を投影可能なプロジェクタ装置と、該プロジェクタ装置を装着する装着部を有する支持装置とを有するプロジェクタシステムにおいて、
上記プロジェクタ装置に設けられた投影用光源と、
上記プロジェクタ装置に設けられ、上記投影用光源を駆動するための電流を供給する第１の電源回路と、
上記支持装置に設けられ、上記第１の光源よりも電流供給能力が高い第２の電源回路と、
上記プロジェクタ装置に設けられ、上記プロジェクタ装置が上記装着部を介して上記支持装置に装着されていない場合には上記第１の電源回路から上記投影用光源に電流を供給し、上記プロジェクタ装置が上記装着部を介して上記支持装置に装着されている場合には上記第２の電源回路から上記投影用光源に電流を供給する電流制御手段と、
上記電流制御手段により上記第１の電源回路と上記第２の電源回路の何れかから供給された電流によって上記投影用光源を駆動し、この投影用光源からの光により投影面に向けて画像を投影する投影手段と、
を有することを特徴とするプロジェクタシステム。
【請求項５】
上記第２の電源回路は、上記第１の電源回路よりも大容量であることを特徴とする請求項４に記載のプロジェクタシステム。
【請求項６】
画像を投影可能なプロジェクタ装置において、
手動操作部材と、
上記手動操作部材からの操作信号に応じて画像投影動作を含む動作を遂行する制御手段と、
上記プロジェクタ装置が外部装置に装着されたことを検知する装着検知手段と、
上記外部装置から送られた制御信号を上記制御手段に伝達するためのコネクタ手段と、
を具備し、
上記制御手段は、上記装着検知手段によって上記プロジェクタ装置が上記外部装置に装着されていることが検知された場合には、上記手動操作部材からの操作信号に代えて、上記コネクタ手段を介して送られてきた上記制御信号に応じて上記画像投影動作を含む動作を遂行することを特徴とするプロジェクタ装置。
【発明の詳細な説明】
【技術分野】
【０００１】
本発明は、プロジェクタシステム及びプロジェクタ装置に関する。
【背景技術】
【０００２】
デジタルカメラなどの画像撮影機器には、撮影した画像を表示するためのモニタ装置が設けられているものが多い。このモニタ装置は、個人で撮影した画像を確認できるようにするためのものであり、多人数で同時に画像を見るなどの使い方には適していない。したがって、撮影画像を多人数で見て楽しむために、撮影画像をプロジェクタ装置を用いてスクリーン上に拡大表示することがある。この種のプロジェクタ装置は、従来から種々提案されている（例えば、特許文献１参照）。
【０００３】
ところで、プロジェクタ装置は高輝度光源が必要であり、その光源（例えば電球）の大きさ、及びその光源から発せられる熱の問題のために小型化が困難である。したがって、現在市販されているプロジェクタ装置は、据置型のものが一般的である。
【０００４】
しかしながら、３〜４人程度で撮影画像を楽しむという目的であれば、大きなスクリーン上に画像投影せずに、テレビモニタ程度の大きさの壁等に投影するだけで充分である。また、最近では高輝度の白色ＬＥＤが実用化されたことによって、小型で発熱の少ない光源が実現できるようになったので、この白色ＬＥＤを光源として採用することで、使用者がプロジェクタ装置を片手で持ったまま壁などに向けて画像投影可能な超小型プロジェクタ装置も実現可能である。
【特許文献１】特開平６−２８１９０６号公報
【発明の開示】
【発明が解決しようとする課題】
【０００５】
しかしながら、プロジェクタ装置を手持ちで使用する場合には、画像の傾きや手ぶれの問題は避けられない。例えば、表示中の画像が傾いていたり、投影時の手ぶれによって上下左右に揺れたりしてしまうと、表示画像を見ている者が非常に不快に感じるおそれがある。また、長時間に渡って投影姿勢を続けることは、投影者にとっても苦痛である。
【０００６】
本発明は、上記の事情に鑑みてなされたもので、手持ち投影の利便性を損なうことなく、長時間の投影でも投影者に苦痛を与えることのないプロジェクタシステム及びプロジェクタ装置を提供することを目的とする。
【課題を解決するための手段】
【０００７】
上記の目的を達成するために、本発明の第１の態様によるプロジェクタシステムは、画像を投影可能なプロジェクタ装置と、該プロジェクタ装置を装着するための装着部を有する支持装置とを有するプロジェクタシステムにおいて、上記プロジェクタ装置に設けられ、第１の操作信号を出力する第１の操作手段と、上記支持装置に設けられ、第２の操作信号を出力する第２の操作手段と、上記プロジェクタ装置に設けられ、上記プロジェクタ装置が上記装着部を介して上記支持装置に装着されていない場合には上記第１の操作信号に応じて画像を投影し、上記プロジェクタ装置が上記装着部を介して上記支持装置に装着されている場合には上記第２の操作信号に応じて画像を投影する投影手段とを有することを特徴とする。
【０００８】
この第１の態様によれば、プロジェクタ装置と支持装置とを有するプロジェクタシステムにおいて、プロジェクタ装置が支持装置に装着された場合には、操作信号が切り換わるので、長時間の投影を行うことができるとともに、プロジェクタ装置の操作性が損なわれることがない。
【０００９】
また、上記の目的を達成するために、本発明の第２の態様によるプロジェクタシステムは、手で保持した状態で画像を投影可能なプロジェクタ装置と、該プロジェクタ装置を装着する装着部を有する支持装置とを有するプロジェクタシステムにおいて、上記プロジェクタ装置に設けられた投影用光源と、上記プロジェクタ装置に設けられ、上記投影用光源を駆動するための電流を供給する第１の電源回路と、上記支持装置に設けられ、上記第１の光源よりも電流供給能力が高い第２の電源回路と、上記プロジェクタ装置に設けられ、上記プロジェクタ装置が上記装着部を介して上記支持装置に装着されていない場合には上記第１の電源回路から上記投影用光源に電流を供給し、上記プロジェクタ装置が上記装着部を介して上記支持装置に装着されている場合には上記第２の電源回路から上記投影用光源に電流を供給する電流制御手段と、上記電流制御手段により上記第１の電源回路と上記第２の電源回路の何れかから供給された電流によって上記投影用光源を駆動し、この投影用光源からの光により投影面に向けて画像を投影する投影手段とを有することを特徴とする。
【００１０】
この第２の態様によれば、プロジェクタ装置と支持装置とを有するプロジェクタシステムにおいて、プロジェクタ装置が支持装置に装着された場合には、電源が切り換わるので、長時間の投影を行うことができる。
【発明の効果】
【００１１】
本発明によれば、手持ち投影の利便性を損なうことなく、長時間の投影でも投影者に苦痛を与えることのないプロジェクタシステム及びプロジェクタ装置を提供することができる。
【発明を実施するための最良の形態】
【００１２】
以下、図面を参照して本発明の実施形態を説明する。  
図１は、本発明の一実施形態に係るプロジェクタ装置の外観図である。図１に示すようにプロジェクタ装置１００には、メインスイッチ（ＳＷ）１０１と、第１の操作手段若しくは手動操作部材としての投影操作釦１０２及び選択ダイアル１０３と、投影レンズ１０４と、画像記録媒体装着部蓋１０５と、コネクタ部１０７とが配置されている。
【００１３】
メインスイッチ１０１は、本プロジェクタ装置１００の主電源のオンオフを切り換えるためのスイッチである。また、投影操作釦１０２は、画像投影のオンオフを切り換えるための押操作部材である。即ち、本プロジェクタ装置１００においては、使用者によって投影操作釦１０２が押圧されている間は、投影レンズ１０４を介して図２のようにして画像２００が投影される。投影レンズ１０４は複数の光学系で構成されており、使用者によって選択された画像を拡大して投影面に投影する。
【００１４】
また、選択ダイアル１０３は、画像の選択切り換えを行うための回転操作部材である。即ち、選択ダイアル１０３を回転操作させた場合には、その回転量に応じてプロジェクタ装置１００に装着された画像記録媒体内の画像データの中から投影される画像の選択切換が行われる。
【００１５】
また、画像記録媒体装着部蓋１０５は、画像データが記録される画像記録媒体を本プロジェクタ装置１００に装着するための装着部を覆う蓋である。ここで、画像記録媒体は、例えばメモリカードなどで構成されており、本プロジェクタ装置１００に対して挿脱自在になっている。
【００１６】
また、コネクタ部１０７は、本プロジェクタ装置１００を外部装置としての支持装置に装着した際に支持装置から各種制御信号を伝達可能とするための通信コネクタである。
【００１７】
図３は、本発明の一実施形態に係るプロジェクタシステムの外観図である。図３に示すように、本プロジェクタシステムは、プロジェクタ装置１００と支持装置３００とから構成されている。図３のように、プロジェクタ装置１００を支持装置３００に装着することにより、手持ち式のプロジェクタ装置１００を据置型のプロジェクタ装置として使用することが可能である。
【００１８】
図３に示すように、支持装置３００は、装着部３０１と、装着検知用凸部３０２と、コネクタ部３０３と、支持軸３０４と、支持脚３０５と、ヒンジ部３０６と、ステージ部３０７と、リモコン信号受信部３０８とから構成されている。
【００１９】
装着部３０１は、プロジェクタ装置１００を支持装置３００に装着し保持するための装着部材である。ここで、プロジェクタ装置１００には該プロジェクタ装置１００が支持装置３００に装着されたことを検知するための機械的なスイッチ（以下、装着検知部と称する）１０９が設けられており、プロジェクタ装置１００が支持装置３００に装着された場合には、支持装置３００の装着検知用凸部３０２により装着検知部１０９のスイッチ状態が切り換わる。これにより、支持装置３００にプロジェクタ装置１００が装着されたことを、プロジェクタ装置１００側で検知することが可能である。ここで、装着検知部１０９及び装着検知用凸部３０２の動作については後で詳しく説明する。
【００２０】
また、支持装置３００にプロジェクタ装置１００が装着された場合には、支持装置３００のコネクタ部３０３とプロジェクタ装置１００のコネクタ部とを介して、支持装置３００からプロジェクタ装置１００に制御信号を通信することが可能となる。
【００２１】
図３において、装着部３０１は支持軸３０４を介して支持脚３０５に取り付けられており、また、支持脚３０５はヒンジ部３０６を介してステージ部３０７に取り付けられている。このような構成により、支持装置３００を図４のようにして折り畳むことができる。これにより、支持装置３００の携帯性や収納性などを向上させることができる。
【００２２】
図３において、ステージ部３０７にはリモートコントロール（リモコン）信号受信部３０８が設けられている。更にステージ部３０７の内部には補助電源３０９が設けられている。
【００２３】
リモコン信号受信部３０８は、図５のようにしてプロジェクタ装置１００を支持装置３００に装着した際に、リモコン信号送信機４００からのリモコン操作信号を支持装置３００側で受信するために設けられている。ここで、図５に示すように、リモコン信号送信機４００にはプロジェクタ装置１００で説明したのと同様の構造を有する、第２の操作手段としての投影操作釦４０１及び選択ダイアル４０２が設けられており、これらの操作部材が操作された場合には、それに応じたリモコン操作信号が送信される。このリモコン操作信号には、例えば赤外光が用いられる。
【００２４】
即ち、本一実施形態では支持装置３００にリモコン信号受信部３０８を設けるようにしておくことで、プロジェクタ装置１００を支持装置３００に装着した際には、プロジェクタ装置１００を遠隔操作可能とし、プロジェクタ装置１００を据え置きで使用した場合でも手持ちの場合と同様の操作性を維持できるようにしている。
【００２５】
また、図３のステージ部３０７の内部に設けられた第２の電源回路としての補助電源３０９は、プロジェクタ装置１００が支持装置３００に装着された場合に、プロジェクタ装置１００の内部回路に駆動用の電流を供給するための電源であり、プロジェクタ装置１００の内部に設けられた第１の電源回路としての内蔵電源１０８よりも電流供給能力の高い大容量の電源である。即ち、プロジェクタ装置１００が支持装置３００に装着された場合には、プロジェクタ装置１００の電源が内蔵電源１０８から補助電源３０９に切り換わるようになっている。ここで、補助電源３０９は充電可能な電源としておくことがより好ましい。
【００２６】
図６は、このような電源の切り換えを行うためのプロジェクタ装置１００及び支持装置３００の構成について示す図である。ここで、図６においては、プロジェクタ装置１００及び支持装置３００の内部の電気回路を、それぞれプロジェクタ装置側電気回路１１０及び支持装置側電気回路３１０と記している。これら電気回路については後で説明する。
【００２７】
プロジェクタ装置１００が支持装置３００に装着されていない状態では、装着検知部１０９のスイッチがＢ接点側になっている。この状態では、プロジェクタ装置側電気回路１１０は内蔵電源１０８と接続されて内蔵電源１０８から電流が供給される。これに対し、プロジェクタ装置１００が支持装置３００に装着されている状態では、装着検知用凸部３０２によって装着検知部１０９のスイッチがＡ接点側に切り換わるようになっている。これにより、プロジェクタ装置側電気回路１１０は補助電源３０９と接続されて補助電源３０９から電流が供給される。また、このときにプロジェクタ装置１００は、リモコン信号送信機４００からのリモコン操作信号を受けつける状態になる。
【００２８】
図７は、本発明の一実施形態に係るプロジェクタシステムにおける電気回路構成について示すブロック図である。  
まず、プロジェクタ装置１００について説明する。プロジェクタ装置１００の制御部１１１は、画像投影制御を行うための制御部である。この制御部１１１は、装着検知部１０９、画像読出部１１２、装着部１１３、駆動部１１６、及び第１のスイッチ検知部１２５に接続されている。
【００２９】
画像読出部１１２は、装着部１１３を介して画像記録媒体１１４に接続されている。また、装着部１１３は、制御部１１１に接続されており、制御部１１１において装着部１１３に画像記録媒体１１４が装着されているか否かが判定できるようになっている。更に画像読出部１１２は画像表示部１１５に接続されている。画像読出部１１２では、制御部１１１の画像投影開始指示を受けて、装着部１１３を介して本プロジェクタ装置１００に装着された画像記録媒体１１４に記録されている画像データが読み出され、読み出された画像データが画像表示部１１５に出力される。
【００３０】
画像表示部１１５は液晶パネル１１９に接続されている。画像表示部１１５では、画像読出部１１２で読み出された投影用の画像データに基づいて液晶パネル１１９の画像表示制御が行われ、この結果、液晶パネル１１９上に投影用の画像が表示される。
【００３１】
駆動部１１６は、投影用光源１１７を発光駆動するための電流供給部である。即ち、駆動部１１６は、制御部１１１からの画像投影開始指示を受けて、投影用光源１１７に電流を供給することにより投影用光源１１７を発光させる。また、このときの電流の供給量を調整することにより、投影用光源１１７を発光させる際の光量を調整する。ここで、投影用光源１１７には、高輝度白色ＬＥＤのような小型で発熱量の少ない光源を用いることが好ましい。このような光源を用いることで、プロジェクタ装置の大型化を抑制することができる。
【００３２】
図８は、駆動部１１６の詳細な構成について示す図である。図８に示すように、駆動部１１６は、電流調整回路１１６ａと、スイッチングトランジスタ１１６ｂとから構成されている。
【００３３】
電流調整回路１１６ａは、例えば可変抵抗回路などから構成されており、制御部１１１からの指示に従って内蔵電源１０８若しくは補助電源３０９から供給された電流を適切な大きさに調整する。
【００３４】
スイッチングトランジスタ１１６ｂは、制御部１１１からの指示に従って投影用光源１１７のオンオフを切り換える。
【００３５】
また、図７において、投影用光源１１７の光路上には、コンデンサレンズ１１８が配置されており、このコンデンサレンズ１１８を通過した光は平行光に集光される。この平行光により、液晶パネル１１９に表示された画像が図示しないスクリーンに投影される。即ち、液晶パネル１１９に入射した投影光は、保護ガラス１２０を介して、第１のプリズム１２１、開口絞り１２２、第２のプリズム１２３からなる投影レンズ系に入射する。
【００３６】
ここで、本プロジェクタ装置の投影レンズ系は、図７に示すように２個のプリズムを組み合わせて構成するようにしている。一般に光学性能を高めるためには、光学系全体の光路長をある程度長くするような設計が必要であるが、光路長を長くしてしまうと装置が大型化してしまう。そこで、本プロジェクタ装置では、入射面、射出面、及び反射面の一部または全部がパワーを有する曲面（球面や平面から大きく形状が逸脱した自由曲面）で形成された自由曲面プリズム光学系を利用し、この自由曲面プリズムによって光路を折り曲げることによって光路長を長くしている。これにより、プロジェクタ装置の大型化を抑制しつつ、高性能の画像投影を行うことができる。ここで、第１のプリズム１２１は、光入射面、２つの反射面、及び光射出面が自由曲面になっている。また、第２のプリズム１２３は、光入射面、反射面、及び光射出面が自由曲面になっている。また、投影レンズ系中に配置された開口絞り１２２は投影面を規制するために設けられている。
【００３７】
このような投影レンズ系から出射された投影光により、液晶パネル１１９に表示された画像が、保護ガラス１２４を介して投影面としての図示しないスクリーン上に投影される。
【００３８】
また、第１のスイッチ検知部１２５は、上記メインスイッチ１０１、上記投影操作釦１０２、及び上記選択ダイアル１０３に接続されており、この第１のスイッチ検知部１２５においてメインスイッチ１０１のオンオフ状態や、投影操作釦１０２の操作状態、選択ダイアル１０３の操作状態に応じた操作信号が検知される。これらの操作信号に従って制御部１１１は各種の制御を行う。
【００３９】
ここで、装着検知部１０９においてプロジェクタ装置１００が支持装置３００に装着されたことが検知された場合には、制御部１１１は、投影操作釦１０２や選択ダイアル１０３からの操作信号ではなく、リモコン信号送信機４００からのリモコン操作信号に基づいて各種制御を行うようにする。
【００４０】
次に、支持装置３００について説明する。支持装置３００には、信号出力部３１１が設けられている。信号出力部３１１では、リモコン信号受信部３０８を介して入力されたリモコン操作信号が波形整形処理される。ここで波形整形されたリモコン操作信号がコネクタ部３０３及びコネクタ部１０７を介してプロジェクタ装置１００の制御部１１１に入力される。
【００４１】
次に、リモコン信号送信機４００について説明する。リモコン信号送信機４００の第２のスイッチ検知部４０３では、投影操作釦４０１の操作状態及び選択ダイアル４０２の操作状態に応じた操作信号が検知される。これらの操作信号に従ってリモコン送信部４０４から画像投影操作信号や画像選択操作信号といったリモコン操作信号が出力される。
【００４２】
図９は、プロジェクタ装置１００におけるメインの制御について示したフローチャートである。  
メインスイッチ１０１がオンされると、図９の制御が開始して、制御部１１１は、画像記録媒体１１４が装着部１１３に装着されているか否かを判定し（ステップＳ１）、画像記録媒体１１４が装着部１１３に装着されるまで待機する。一方、ステップＳ１の判定において、画像記録媒体１１４が装着部１１３に装着されていると判定した場合には、ステップＳ１をステップＳ２に分岐して、制御部１１１は、画像記録媒体１１４に記録されている１枚目の画像データを読み出すように画像読出部１１２に指示を送る（ステップＳ２）。
【００４３】
次に、制御部１１１は、装着検知部１０９における検知結果に基づいて支持装置３００が装着されているか否かを判定する（ステップＳ３）。
【００４４】
ステップＳ３の判定において支持装置３００が装着されていると判定した場合には、ステップＳ３をステップＳ４に分岐して、制御部１１１は、投影操作釦１０２が押されたか否かを判定する（ステップＳ４）。
【００４５】
ステップＳ４の判定において、投影操作釦１０２が押されていないと判定した場合には、ステップＳ４をステップＳ５に分岐して、制御部１１１は、選択ダイアル１０３が操作されて画像の選択操作がなされたか否かを判定する（ステップＳ５）。ステップＳ５の判定において、選択操作がなされていないと判定した場合には、ステップＳ３に戻る。一方、ステップＳ５の判定において、選択操作がなされたと判定した場合には、ステップＳ５をステップＳ６に分岐して、制御部１１１は、画像記録媒体１１４に記録されている次の画像データを読み出すように画像読出部１１２に読み出し指示を送る（ステップＳ６）。その後、ステップＳ３に戻る。
【００４６】
また、ステップＳ４の判定において、投影操作釦１０２が押されたと判定した場合には、ステップＳ４をステップＳ７に分岐して、選択されている画像の投影を行う（ステップＳ７）。
【００４７】
一方、ステップＳ３の判定において、支持装置３００が装着されていると判定した場合には、ステップＳ３をステップＳ８に分岐して、制御部１１１は、リモコン信号送信機４００からの画像投影操作信号が入力されたか否かを判定する（ステップＳ８）。ステップＳ８の判定において、画像投影操作信号が入力されたと判定した場合には、ステップＳ７に分岐して選択されている画像の投影を行う。
【００４８】
一方、ステップＳ８の判定において、リモコン信号送信機４００からの画像投影操作信号が入力されていないと判定した場合には、リモコン信号送信機４００からの画像選択操作信号が入力されたか否かを判定する（ステップＳ９）。ステップＳ９の判定において、リモコン信号送信機４００からの画像選択操作信号が入力されていないと判定した場合には、ステップＳ３に戻る。一方、ステップＳ９の判定において、リモコン信号送信機４００からの画像選択操作信号が入力されたと判定した場合には、ステップＳ９をステップＳ１０に分岐して、制御部１１１は、画像記録媒体１１４に記録されている次の画像データを読み出すように画像読出部１１２に読み出し指示を送る（ステップＳ１０）。その後、ステップＳ３に戻る。
【００４９】
以上説明したように、本一実施形態によれば、高輝度白色ＬＥＤを利用することで使用者が片手で持ったまま使用できる超小型のプロジェクタ装置の利便性を損なうことなく、長時間の投影でも投影者に苦痛を与えることがない。
【００５０】
また、プロジェクタ装置１００が支持装置３００に装着された場合には、プロジェクタ装置１００の内蔵電源よりも電流供給能力の高い補助電源により投影を行うことができるので、プロジェクタ装置１００に大容量電源を搭載しなくとも長時間の間、高輝度の投影を行うことができる。これにより、プロジェクタ装置を小型・軽量化することができる。
【００５１】
また、プロジェクタ装置１００が支持装置３００に装着された場合には、プロジェクタ装置１００をリモコン信号送信機４００によって行うことができるので、プロジェクタ装置１００の操作性が損なわれることがない。
【００５２】
以上実施形態に基づいて本発明を説明したが、本発明は上記した実施形態に限定されるものではなく、本発明の要旨の範囲内で種々の変形や応用が可能なことは勿論である。例えば、上記した一実施形態では、装着検知部を機械的なスイッチ部材の例で説明しているが、これに限るのもではない。プロジェクタ装置と支持装置の間の通信が確立したか否かにより、プロジェクタ装置が支持装置に装着されたことを検知できるようにしても良い。また、本一実施形態では、装着検知部によって操作信号の切り換えと電源の切り換えを同時に行うようにしているが、これらを別の部材で行っても良い。
【００５３】
更に、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５４】
【図１】本発明の一実施形態に係るプロジェクタ装置の外観図である。
【図２】本発明の一実施形態に係るプロジェクタ装置によって画像を投影する際の様子を示す図である。
【図３】本発明の一実施形態に係るプロジェクタシステムの外観図である。
【図４】支持装置を折り畳んだときの様子を示す図である。
【図５】本発明の一実施形態に係るプロジェクタシステムによって画像を投影する際の様子を示す図である。
【図６】電源の切り換えを行うためのプロジェクタ装置及び支持装置の構成について示す図である。
【図７】本発明の一実施形態に係るプロジェクタシステムの電気回路構成について示すブロック図である。
【図８】駆動部周辺の詳細な構成について示す図である。
【図９】本発明の一実施形態に係るプロジェクタシステムにおけるプロジェクタ装置側のメインの制御について示したフローチャートである。
【符号の説明】
【００５５】
１００…プロジェクタ装置、１０１…メインスイッチ、１０２，４０１…投影操作釦、１０３，４０２…選択ダイアル，１０４…投影レンズ、１０５…画像記録媒体装着部蓋、１０７，３０３…コネクタ部、１０８…内蔵電源、１０９…装着検知部、１１０…プロジェクタ装置側電気回路、１１１…制御部、１１２…画像読出部、１１３…装着部、１１４…画像記録媒体、１１５…画像表示部、１１６…駆動部、１１６ａ…電流調整回路、１１６ｂ…スイッチングトランジスタ、１１７…投影用光源、１１８…コンデンサレンズ、１１９…液晶パネル、１２０，１２４…保護ガラス、１２１…第１のプリズム、１２２…開口絞り、１２３…第２のプリズム、１２５…第１のスイッチ検知部、３００…支持装置、３０１…装着部、３０２…装着検知用凸部、３０４…支持軸、３０５…支持脚、３０６…ヒンジ部、３０７…ステージ部、３０８…リモコン信号受信部、３０９…補助電源、３１０…支持装置側電気回路、３１１…信号出力部、４００…リモコン信号送信機、４０３…第２のスイッチ検知部、４０４…リモコン送信部
【図１】
2006091366.tif 000003
【図２】
2006091366.tif 000004
【図３】
2006091366.tif 000005
【図４】
2006091366.tif 000006
【図５】
2006091366.tif 000007
【図６】
2006091366.tif 000008
【図７】
2006091366.tif 000009
【図８】
2006091366.tif 000010
【図９】
2006091366.tif 000011